【手続補正書】
【提出日】平成24年7月17日(2012.7.17)
【手続補正１】
【補正対象書類名】特許請求の範囲
【補正対象項目名】全文
【補正方法】変更
【補正の内容】
【特許請求の範囲】
【請求項１】
上部の芯材表面および下部の芯材表面を有しており、前記上部の芯材表面から前記下部の芯材表面まで延びた少なくとも１つの通路を備えている、芯材、
前記芯材の前記上部の芯材表面に沿ってまたは近くに位置しており、前記芯材の前記少なくとも１つの通路と流体連通状態にある、少なくとも１つの流体分配部材であって、前記少なくとも１つの流体分配部材内において流体を受け入れ、少なくとも部分的に分配するように構成されている、少なくとも１つの流体分配部材、および
前記少なくとも１つの流体分配部材に隣接して位置している少なくとも１つの快適化層、
を備えている上方部分と、
少なくとも１つの流体モジュールにより移送される流体の湿度レベルを検出するように構成されている少なくとも１つの湿度センサと、
を備えており、
前記少なくとも１つの通路は、該少なくとも１つの通路を通って前記上方部分の前記少なくとも１つの流体分配部材に流体を選択的に移送するように構成されているか、または前記流体分配部材から流体を選択的に移送するように構成されている前記少なくとも１つの流体モジュールから空気を選択的に受け入れるように構成されており、
前記少なくとも１つの流体モジュールは、流体移送デバイスを備えている、空調されるベッド。
【請求項２】
前記少なくとも１つの流体モジュールは、前記流体移送デバイスにより移送される流体を選択的に加熱または冷却するように構成されている温度調整デバイスをさらに有している、請求項１に記載のベッド。
【請求項３】
前記少なくとも１つの流体分配部材は、スペーサ布と連続気泡フォームのうち少なくとも一方を備えている、請求項１または２に記載のベッド。
【請求項４】
前記少なくとも１つの通路は、前記芯材の内部を通る、請求項１から３のいずれか１項に記載のベッド。
【請求項５】
前記少なくとも１つの快適化層は、キルト層、粘弾性フォーム、ポリウレタンフォーム、形状記憶フォーム、および他の熱可塑性材料のうちの少なくとも１つを含んでいる、請求項１から４のいずれか１項に記載のベッド。
【請求項６】
前記少なくとも１つの流体モジュールの少なくとも１つの作動パラメータを制御するように構成されている主制御装置をさらに有している、請求項１から５のいずれか１項に記載のベッド。
【請求項７】
前記ベッドの少なくとも１つの作動パラメータをユーザが選択的に調節することが可能となるように構成されている少なくとも１つの遠隔制御装置をさらに備えている、請求項１から６のいずれか１項に記載のベッド。
【請求項８】
前記少なくとも１つの遠隔制御装置は、（ａ）無線式遠隔制御装置と（ｂ）前記ベッドに配線されている遠隔制御装置のうちの少なくとも一方を有している、請求項７に記載のベッド。
【請求項９】
前記流体モジュールにより移送される流体の温度を検出するように構成されている少なくとも１つの温度センサをさらに備えている、請求項１から８のいずれか１項に記載のベッド。
【請求項１０】
前記芯材の前記少なくとも１つの通路の内に少なくとも部分的に位置している前記通路インサートをさらに有している、請求項１から９のいずれか１項に記載のベッド。
【請求項１１】
前記上方部分は、下方部分上に位置するように構成されている、請求項１から１０のいずれか１項に記載のベッド。
【請求項１２】
前記下方部分をさらに有している、請求項１１に記載のベッド。
【請求項１３】
前記少なくとも１つの流体モジュールは、前記下方部分上または内部に位置している、請求項１１または１２に記載のベッド。
【請求項１４】
前記下方部分は、少なくとも１つの下方部分開口を備えている上部表面を備えており、前記少なくとも１つの下方部分開口は、前記芯材の前記少なくとも１つの通路のうちの少なくとも１つと位置がそろい、流体連通状態になるように構成されている、請求項１１から１３のいずれか１項に記載のベッド。
【請求項１５】
前記少なくとも１つの流体分配部材は、水力学的に隔離された少なくとも２つの区域に区分されている、請求項１から１４のいずれか１項に記載のベッド。
【請求項１６】
前記水力学的に隔離された区域の少なくとも１つには、その中で前記流体を分配するように構成された少なくとも１つのスペーサ部材が設けられている、請求項１５に記載のベッド。
【請求項１７】
前記水力学的に隔離された区域はそれぞれ、異なる流体モジュールと流体連通状態にあり、それにより、各前記水力学的に隔離された区域が個別に制御されるように構成されている、請求項１５または１６に記載のベッド。
【請求項１８】
前記流体分配部材は、縫いシーム（ＳＥＷ ＳＥＡＭＳ）、ステッチ（ＳＴＩＴＣＨ）、グルービード（ＧＬＵＥ ＢＥＡＤ）、または窓枠構造を用いて、水力学的に隔離された少なくとも２つの区域に区分されている、請求項１５から１７のいずれか１項に記載のベッド。
【請求項１９】
上部の芯材表面および下部の芯材表面を有しており、前記上部の芯材表面から前記下部の芯材表面まで延びた少なくとも１つの通路を備えている、芯材、
前記芯材の前記上部の芯材表面に沿ってまたは近くに位置しており、前記芯材の前記少なくとも１つの通路と流体連通状態にある、少なくとも１つの流体分配部材であって、前記流体分配部材内において流体を受け入れ、少なくとも部分的に分配するように構成されている、少なくとも１つの流体分配部材、および
前記少なくとも１つの流体分配部材に隣接して位置している少なくとも１つの快適化層、
を備えている上方部分と、
少なくとも１つの流体モジュールにより移送される流体の温度を検出するように構成されている少なくとも１つの温度センサと、
を備えており、
前記少なくとも１つの通路は、該少なくとも１つの通路を通って前記上方部分の前記流体分配部材に流体を選択的に移送するように構成されているか、または該少なくとも１つの通路を通って前記上方部分の前記流体分配部材から流体を選択的に移送するように構成されている前記少なくとも１つの流体モジュールから空気を選択的に受け入れるように構成されており、
前記少なくとも１つの流体モジュールは、流体移送デバイスを備えている、空調されるベッド。
【請求項２０】
上部の芯材表面および下部の芯材表面を有しており、前記上部の芯材表面から前記下部の芯材表面まで延びた少なくとも１つの通路を備えている、芯材、
前記芯材の前記上部の芯材表面に沿ってまたは近くに位置しており、前記芯材の前記少なくとも１つの通路と流体連通状態にある、少なくとも１つの流体分配部材であって、前記少なくとも１つの流体分配部材内において流体を受け入れ、少なくとも部分的に分配するように構成されている、少なくとも１つの流体分配部材、および
前記少なくとも１つの流体分配部材に隣接して位置している少なくとも１つの快適化層、
を備えている上方部分と、
少なくとも１つの流体モジュールの少なくとも１つの作動パラメータを制御するように構成された主制御装置と、
を備えており、
前記少なくとも１つの通路は、該少なくとも１つの通路を通って前記上方部分の前記少なくとも１つの流体分配部材に流体を選択的に移送するように構成されているか、または該少なくとも１つの通路を通って前記上方部分の前記少なくとも１つの前記流体分配部材から流体を選択的に移送するように構成されている少なくとも１つの流体モジュールから空気を選択的に受け入れるように構成されており、
前記少なくとも１つの流体モジュールは、流体移送デバイスを備えている、空調されるベッド。
【請求項２１】
上部の芯材表面および下部の芯材表面を有しており、前記上部の芯材表面から前記下部の芯材表面まで延びた少なくとも１つの通路を備えている、芯材、
前記芯材の前記上部の芯材表面に沿ってまたは近くに位置しており、前記芯材の前記少なくとも１つの通路と流体連通状態にある、少なくとも１つの流体分配部材であって、前記少なくとも１つの流体分配部材内において流体を受け入れ、少なくとも部分的に分配するように構成されている、少なくとも１つの流体分配部材、および
前記少なくとも１つの流体分配部材に隣接して位置している少なくとも１つの快適化層、
を備えている上方部分を有しており、
前記少なくとも１つの通路は、該少なくとも１つの通路を通って前記上方部分の前記少なくとも１つの流体分配部材に流体を選択的に移送するように構成されているか、または該少なくとも１つの通路を通って前記上方部分の前記少なくとも１つの前記流体分配部材から流体を選択的に移送するように構成されている少なくとも１つの流体モジュールから空気を選択的に受け入れるように構成されており、
前記少なくとも１つの流体モジュールは、流体移送デバイスを有し、
前記少なくとも１つの流体分配部材は、水力学的に隔離された少なくとも２つの区域に区分されている、空調されるベッド。